(57)【要約】【課題】自動販売機を狙って機内から金銭，商品を盗もうとする窃盗加害者に対し、自動販売機が防犯シグナルを発して破壊，窃盗行為を抑止させることを狙った自動販売機の防犯装置を提供する。【解決手段】外扉の前面に、人の接近を感知して信号を出力する人感センサ，および該人感センサの出力信号を基にして点灯させるＬＥＤ，フラッシュランプなどの防犯用発光素子を配備する。そして、自動販売機の前方に人が立つと人感センサが人を感知してその検知信号を基にタイマの限時動作を開始し、あらかじめタイマで設定した時間内に正規の商品の購入操作が行われない場合には、防犯シグナルとして前記発光素子を点灯ないし点滅させ、自動販売機が人を認識していることをアピールして破壊，盗難行為を抑止させるようする。【選択図】      図１
2005049965.tif 000002
【特許請求の範囲】
【請求項１】
外扉の前面に、人の接近を感知して信号を出力する人感センサ，および該人感センサの出力信号を基にして点灯させる防犯用の発光素子を配備し、自動販売機の前方に立った人が所定時間内に商品の購入操作を行わない条件で前記発光素子を点灯ないし点滅させるようにしたことを特徴とする自動販売機の防犯装置。
【請求項２】
請求項１に記載の防犯装置において、発光素子が１ないし複数個のＬＥＤであることを特徴とする自動販売機の防犯装置。
【請求項３】
請求項１に記載の防犯装置において、発光素子がフラッシュランプであることを特徴とする自動販売機の防犯装置。
【請求項４】
請求項１に記載の防犯装置において、人感センサをダミーカメラのレンズ部に配置したことを特徴とする自動販売機の防犯装置。
【請求項５】
請求項１ないし４に記載の防犯装置において、人感センサ，発光素子を、外扉の前面に設置した販売情報表示部の一角に表示ディスプレイと並べて配置したことを特徴とする自動販売機の防犯装置。
【請求項６】
請求項５に記載の防犯装置において、外扉の前面に販売情報表示部と並べて監視警戒中の表示を施したステッカーを貼り付けたことを特徴とする自動販売機の防犯装置。
【発明の詳細な説明】
【０００１】
【発明の属する技術分野】
本発明は、自動販売機の防犯装置に関する。
【０００２】
【従来の技術】
まず、頭記の自動販売機として、缶，びん，ペットボトル商品を販売する自動販売機の一般構成を図８に示す。図において、１は庫内に商品収納ラック（図示せず），庫内冷却／加熱ユニットを搭載した自動販売機のキャビネット、２はその前面外扉、３は外扉２に画成した電照室、４は商品見本５の陳列台、６は商品選択ボタン、７は商品取出口、８はコイン機構のコイン投入口、９はビルバリデータの紙幣投入口、１０はコイン返却口、１１はコイン投入口８，紙幣投入口９に並べて投入金額，庫内温度，販売中，準備中などの各種情報をディスプレイに表示する販売情報表示部、１２は扉ロックである。
【０００３】
ところで、昨今では自動販売機の機内に保管した金銭，商品を不正に盗み出す盗難事故が多発しており、その窃盗の手口も自動販売機の扉ロック，扉本体をバール等の工具を使って破壊するなどますますエスカレートする傾向にある。そこで、従来では防盗対策として、自動販売機のキャビネット１，外扉２を堅牢な構造に補強する。あるいは外扉２の扉ロック１２とは別に外付けの錠前を取り付けて外扉２を二重にロックするなどの対策が一般に採用されている。
【０００４】
また、自動販売機に対して加えられる破壊を検知して警報を発するとともに、破壊の被害を自動販売機の管理者へ自動的に通報するような防犯手段を備えたものも知られている（例えば、特許文献１参照。）。
【０００５】
一方、自動販売機の防盗を目的としたものではないが、先行技術として自動販売機の外扉前面に人体の接近を感知して信号を出力するセンサを備え、このセンサ信号を基に自動販売機に人が近づいた際に電照室などに備えた照明灯を点灯させるようにした自動販売機が知られている（例えば、特許文献２参照１）。
【０００６】
【特許文献１】
特開平７−２４４７７５号公報
【特許文献２】
特開平１０−  ２８３５４４号公報
【０００７】
【発明が解決しようとする課題】
ところで、前記した従来の防盗対策は、いずれも自動販売機を加害者の破壊行為から防護して外扉が開けられないようにするものであって、それ以前に窃盗行為を抑止させるような効果はない。そのために、窃盗加害者による自動販売機の破壊が途中までしか進まず、機内に保管されている金銭，商品の盗難が未遂に終わったとしても、工具を使った破壊行為により自動販売機の本体が損傷し、その修理費などに甚大な被害を被ることになる。
【０００８】
そこで、本発明は自動販売機が窃盗加害者の手によって破壊される以前に、自動販売機が加害者に向け防犯シグナルを発して窃盗行為を制止させることを狙った自動販売機の防犯装置を提供することを目的とする。
【０００９】
【課題を解決するための手段】
上記目的を達成するために、本発明によれば、自動販売機の外扉前面に、人の接近を感知して信号を出力する人感センサ、および該人感センサの出力信号を基にして点灯させる防犯用の発光素子を装備し、自動販売機の前方に立った人が所定時間内に商品の購入操作を行わない場合には前記発光素子を点灯ないし点滅させ、自動販売機が人の接近を認識していることをアピールして加害者を牽制し、窃盗，破壊行為の実行を思い止まらせるようにする（請求項１）。
【００１０】
また、本発明によれば、前記の防犯装置は次に記すような態様で実施することができる。
【００１１】
（１）  前記の発光素子として１ないし複数個のＬＥＤを用いる（請求項２）。
【００１２】
（２）  前記の発光素子として強力な光を発するフラッシュランプを用いる（請求項３）。
【００１３】
（３）  前記の人感センサを外扉の前面に配したダミーカメラ（模擬の監視カメラ）のレンズ部に配置し、自動販売機の前に立った人の挙動をカメラで監視しているように見せ掛ける（請求項４）。
【００１４】
（４）  自動販売機の前に立った人を感知し易く、かつ発光素子の点灯を見易くするために、前記の人感センサ，発光素子を外扉の前面に設置した販売情報表示部の一角にその表示ディスプレイと並べて配置する（請求項５）。
【００１５】
（５）  外扉の前面に前記の販売情報表示部と並べて監視警戒中の表示を施した防犯ステッカーを貼り付けて防犯効果を高めるようにする（請求項６）。
【００１６】
【発明の実施の形態】
以下、本発明の実施の形態を図１〜図７に示す実施例に基づいて説明する。
【００１７】
まず、本発明の基本的な実施例の構成を図２に示し、その防犯動作を図１に表したフローチャートで説明する。すなわち、図８において、外扉２の前面に配した販売情報表示部１１の一角にその表示ディスプレイと並べて人感センサ１３，および防犯用発光素子としてＬＥＤ１４が追加装備されている。ここで、人感センサ１３は人の接近を感知して信号を出力するセンサであり、例えば先記の特許文献２に開示されている焦電型，光検知型センサ、もしくは測距センサを採用することができる。
【００１８】
上記の構成で、ロケーション先に設置した自動販売機の前に人が立つと、その人を人感センサ１３が感知し、その検知信号を基に監視制御部（図示せず）により、図１に表したフローチャートの動作を実行する。すなわち、ステップＳ１  で人感センサ１３が人の接近を検知すると、制御部のタイマが限時動作を開始する（ステップＳ２  ）。ここで、自動販売機の前に立った人が通常の購買客で、商品を購入するために所定の購入操作（金銭の投入，商品の選択）を行うと（ステップＳ３  ）、タイマをリセットして限時動作を中止する（ステップＳ４  ）。一方、自動販売機の前に立った人が正規の商品購入操作を行わないでその場に居続ける場合には、タイマの設定時間が経過したところで（ステップＳ５  ）防犯用のＬＥＤ１４を点灯もしくは点滅させ（ステップＳ６  ）、自動販売機がその前に立っている人を認識していることをアピールする。
【００１９】
これにより、自動販売機を狙って金銭，商品を盗もうとしている者に対して、防犯用発光素子の点灯，点滅がシグナルとなって窃盗の実行意識を殺ぐように防犯の役目を十分に果たすことが期待できる。なお、タイマの設定時間前に人が自動販売機の前から立ち去って人感センサが人を感知しなくなると、タイマをリセットして通常の状態に復帰する。
【００２０】
次に、先記実施例の構成を改良して防犯効果をさらに高めるようにした応用実施例を図３以下で説明する。
【００２１】
まず、図３に示す第２の実施例では防犯用の発光素子として人感センサ１３の両側に２個のＬＥＤ１４を配置し、図４に示す第３の実施例ではＬＥＤを３個配置し、各ＬＥＤを交互に点滅させるなどしてアピール性を高めるようにしている。また、図５に示す第４の実施例では防犯用の発光素子に強力な光を発するフラッシュランプ１５を用いたものである。さらに、図６に示す第５の実施例では、図５の構成に加えて販売情報表示部１１と並べて「防犯装置差動中」の表示を施したステッカー１６を外扉の前面に貼り付けて防犯効果を高めるようにしている。また、図７に示す第６の実施例は防犯効果をさらに高めることを狙ったものであって、販売情報表示部１１に監視カメラを模擬したダミーカメラ１７のレンズ部を設けた上で、そのレンズ部に人感センサ１３を配置し、この自動販売機では監視カメラが作動しているかのように見せ掛けている。
【００２２】
【発明の効果】
以上述べたように、本発明によれば、外扉の前面に、人の接近を感知して信号を出力する人感センサ，および該人感センサの出力信号を基にして点灯させる防犯用の発光素子を配備し、自動販売機の前方に立った人が所定時間内に商品の購入操作を行わない条件で前記発光素子を点灯ないし点滅させるようにしたことにより、自動販売機を狙って機内から金銭，商品を盗もうとしている者に対して、前記発光素子の点灯，点滅が防犯シグナルとなって窃盗行為を抑止させるように防犯の役目を十分に果たすことが期待できる。
【図面の簡単な説明】
【図１】本発明の実施例による防犯装置の動作を表すフローチャート図
【図２】本発明の第１実施例の構成図
【図３】本発明の第２実施例の構成図
【図４】本発明の第３実施例の構成図
【図５】本発明の第４実施例の構成図
【図６】本発明の第５実施例の構成図
【図７】本発明の第６実施例の構成図
【図８】本発明の実施対象となる自動販売機の正面図
【符号の説明】
１    自動販売機のキャビネット
２    外扉
１１    販売情報表示部
１３    人感センサ
１４    ＬＥＤ（防犯用発光素子）
１５    フラッシュランプ（防犯用発光素子）
１６    ステッカー
１７    ダミーカメラ
【図１】
2005049965.tif 000003
【図２】
2005049965.tif 000004
【図３】
2005049965.tif 000005
【図４】
2005049965.tif 000006
【図５】
2005049965.tif 000007
【図６】
2005049965.tif 000008
【図７】
2005049965.tif 000009
【図８】
2005049965.tif 000010